(57)【要約】【課題】ジッパー付フィルム袋の切断縁にズレ部を形成することで、老人、子供或いは指先の不自由な人でもジッパー付フィルム袋を容易に開封することができるジッパー付フィルム袋用鋏を提供する。【解決手段】鋏本体１は、一対の鋏体２、３と、両鋏体２、３の間隙に挟装する中間刃体５を支軸４で連結して構成してある。中間刃体５の略中間には支軸４が挿通する長孔が形成してある。中間刃体５の下端側に基端側を連結ピン７で結合し、先端側を鋏体２、３の柄部２Ｂ、３Ｃに係合ピン８で連結した連動腕６、６が設けてあり、一対の鋏体２、３、中間刃体５及び一対の連動腕６、６によって四角形リンクが形成してある。【選択図】図４
2011244839.tif 000002
【特許請求の範囲】
【請求項１】
長手方向一側が持ち手部になり、柄部を介して他側が刃部になり、該刃部の内側縁に切込み刃が形成してある一対の鋏体を支軸により回動可能に連結した鋏本体と、前記支軸が前後方向に変位可能に挿嵌する長孔及び両側縁に前記各鋏体の切込み刃と交わる受け刃を有し、前記長孔に前記支軸を挿通した状態で前記一対の鋏体の間に挟装した中間刃体と、基端側を該中間刃体の下端側とピン結合し、先端側を前記各鋏体の柄部にピン結合した一対の連動腕とから構成してなるジッパー付フィルム袋用鋏。
【請求項２】
前記中間刃体は、厚さを約２乃至４ｍｍに設定してあることを特徴とする請求項１記載のジッパー付フィルム袋用鋏。
【請求項３】
前記一対の鋏体、中間刃体及び一対の連動腕は四辺形リンクを構成し、該中間刃体に対して一対の鋏体が直線方向に変位しながら交わるようにしてあることを特徴とする請求項１記載のジッパー付フィルム袋用鋏。
【発明の詳細な説明】
【技術分野】
【０００１】
本発明は、ジッパー付フィルム袋を密封状態から開封するために使用するジッパー付フィルム袋用鋏に関する。
【背景技術】
【０００２】
近年、菓子、調味料等の食品等の包装袋に、保存中における食品の乾燥や、逆に湿気るのを防止するため、袋内を密封することのできるジッパーを設けたタイプの袋が多く使用されるようになっている。このジッパー付フィルム袋５１（以下、フィルム袋５１という。）を図６及び図７に示す。図６に示すように長方形のフィルム素材を長手方向略中心で折り返して下端５１Ａとし、左右の側縁５１Ｂ、５１Ｂを衝合して熱溶着などの手段によって固着することにより、一側フィルム５２と他側フィルム５３とからなる上端が開放した袋状に形成してある。そして、この両フィルム５２、５３の上端５２Ａ、５３Ａ寄りの内面に、押圧することにより噛合するタイプのジッパー５４を設け、フィルム５２、５３の上端５２Ａ、５３Ａは熱溶着などの手段で固着してフィルム袋５１の密封部５１Ｃとしてある。
【０００３】
上記のフィルム袋５１を開封する場合、従来は２枚刃の鋏でフィルム袋５１のジッパー５４より上端５２Ａ、５３Ａ側を切断しているが、衝合する一側フィルム５２と他側フィルム５３の切断縁５２Ｂ、５３Ｂが直線状に重なった状態になる（図７参照）。そして、フィルム袋５１は食品等の保存性と繰り返し開閉操作することに対する強度性を考慮した剛性のあるポリプロピレン等の素材で成形しているため、切断縁５２Ｂ、５３Ｂは密接した状態で重なっており、老人、子供或いは指先が不自由な人にとっては切断縁５２Ｂ、５３Ｂを開くことが容易でないという問題がある。
【０００４】
しかし、このようなフィルム袋５１を開封する専用の鋏は知られていない。また、従来から限られた用途を持つ鋏として、例えば剪断線が異なるように刃形の異なる刃を組み合わせて３枚刃で構成した鋏、甲殻類の殻を切断するために３枚刃で構成した鋏、更には片方の刃を大きく開くように３枚刃で構成した鋏がある（特許文献１）。
【先行技術文献】
【特許文献】
【０００５】
【特許文献１】特開２００２−５８８８４号公報
【発明の概要】
【発明が解決しようとする課題】
【０００６】
上記のように３枚刃の鋏は知られているが、フィルム袋５１を切断してジッパーを容易に開口することができるようにした鋏は提案されていない。また、鋏は用途によって刃の形状、噛合状態等が相違するものであり、用途の異なる３枚刃の鋏を転用しても、密封してあるフィルム袋５１のフィルム５２、５３を異なる切断縁で夫々切断し、かつ切断縁を仕上がりよく切断することは事実上困難であるという問題がある。
【０００７】
本発明は上述した従来技術の未解決の問題点に鑑みなされたもので、２枚刃の鋏と同様な使い方でフィルム袋５１を切断して開封することができ、取扱い性に優れているし、老人、子供或いは指先の不自由な人でもジッパー付フィルム袋を容易に開口することができるジッパー付フィルム袋用鋏を提供することを目的とする。
【課題を解決するための手段】
【０００８】
上述した課題を解決するために構成された本発明の手段は、長手方向一側が持ち手部になり、柄部を介して他側が刃部になり、該刃部の内側縁に切込み刃が形成してある一対の鋏体を支軸により回動可能に連結した鋏本体と、前記支軸が前後方向に変位可能に挿嵌する長孔及び両側縁に前記各鋏体の切込み刃と交わる受け刃を有し、前記長孔に前記支軸を挿通した状態で前記一対の鋏体の間に挟装した中間刃体と、下端側を該中間刃体の下端側とピン結合し、先端側を前記各鋏体の柄部にピン結合した一対の連動腕とからなる。
【０００９】
そして、前記中間刃体は、厚さを約２乃至４ｍｍに設定するとよい。
【００１０】
また、前記一対の鋏体、中間刃体及び一対の連動腕は四辺形リンクを構成し、該中間刃体に対して一対の鋏体が直線方向に変位しながら交わるようにするとよい。
【発明の効果】
【００１１】
本発明は上述の如く構成したから、下記の諸効果を奏する。
（１）ジッパー付フィルム袋のジッパーより先端側の位置で、一側フィルムと他側フィルムを中間刃体の厚さ分のズレ部が存するように切断するので、開封者はズレ部に指先を差し込むことによりフィルム袋のジッパーを容易に確実に開封することができる。
（２）中間刃体は、厚さを約２乃至４ｍｍに設定し、一側フィルムと他側フィルムの両切断縁に確実にズレ部が存するようにしたから、老人、子供或いは指先の不自由な人も指先を容易に差し込むことができ、確実に開封することができる。
（３）一対の鋏体、中間刃体及び一対の連動腕によって四辺形リンクを構成し、中間刃体に対して一対の鋏体が直線方向に変位しながら交わるようにしたから、２枚のフィルムを剪断ではなく、切り込むようにして切断するので切断抵抗が小さく、大きな力を入れなくても容易に切断することができる。
【図面の簡単な説明】
【００１２】
【図１】図１乃至図５は本発明の実施の形態に係り、図１はジッパー付フィルム袋用鋏の正面図である。
【図２】ジッパー付フィルム袋用鋏を開いた状態の正面図である。
【図３】ジッパー付フィルム袋の開封手順を示し、フィルム袋の角部を切断する説明図である。
【図４】ジッパー付フィルム袋を切断する説明図である。
【図５】ジッパー付フィルム袋の切断状態の説明図である。
【図６】既存のジッパー付フィルム袋の一部を破断した説明図である。
【図７】ジッパー付フィルム袋の開封時の説明図である。
【発明を実施するための形態】
【００１３】
以下、本発明の実施の形態を図１乃至図５に基づき詳述する。図において、１は鋏本体、２は該鋏本体１を構成する一側鋏体で、該一側鋏体２は長手方向一側の輪形持ち手部２Ａと、該輪形持ち手部２Ａから伸長する柄部２Ｂと、該柄部２Ｂの先端に形成した長手方向他側の刃部２Ｃとからなり、該刃部２Ｃの内側縁には切込み刃２Ｄが形成してある。
【００１４】
３は前記一側鋏体２と対向する他側鋏体で、該他側鋏体３は長手方向一側の輪形持ち手部３Ａと、該輪形持ち手部３Ａの内側に形成した突起部３Ｂと、輪形持ち手部３Ａから伸長する柄部３Ｃと、該柄部３Ｃの先端に形成した長手方向他側の刃部３Ｄとからなり、該刃部３Ｄの内側縁には切込み刃３Ｅが形成してある。そして、一側鋏体２と他側鋏体３は、柄部２Ｂ、３Ｃに挿着した支軸４で間隙を存して連結してあり、互いに回動可能になっている。
【００１５】
５は一側鋏体２と他側鋏体３との間隙に挟装した中間刃体で、該中間刃体５は厚さが約２乃至４ｍｍの長板からなる本体５Ａと、該本体５Ａの略中間に長手方向に沿って形成し、前記支軸４が摺動可能な長孔５Ｂと、該長孔５Ｂの横方から先端にかけて本体５Ａの両側縁に両刃剣のように形成した一側受け刃５Ｃ及び他側受け刃５Ｄとからなっている。
【００１６】
６、６は一側鋏体２、他側鋏体３及び前記中間刃体５に連結した左右一対の連動腕を示す。該連動腕６、６は各基端側６Ａと中間刃体５の下端側５Ｅを連結ピン７で軸着し、先端側６Ｂを一側鋏体２と他側鋏体３の各柄部２Ｂ、３Ｃに係合ピン８、８で連結してあり、一側鋏体２、他側鋏体３、中間刃体５及び一対の連動腕６、６によって四辺形リンクを構成している。
【００１７】
かくして、一側鋏体２と他側鋏体３は支軸４を支点にして左右同じ角度で矢示イ、ロ方向に開閉し、また連結ピン７で連結した連動腕６、６の基端側６Ａ、６Ａは、左右の鋏本体２、３が拡開することにより前方に変位し、中間刃体５も矢示ハ方向の前方に直線的に変位し、左右の鋏本体２、３の支軸４も長孔５Ｂ内を摺動して前方に変位する。これら一連の連動は、一側鋏体２、他側鋏体３、中間刃体５及び一対の連動腕６、６が四辺形リンクを構成しているので、安定性よく円滑に作動することができる。
【００１８】
本実施の形態に係るフィルム袋用鋏は上述の構成からなるもので、上述したフィルム袋５１を開封する場合の作用について説明する。先ず、図３に示すように、フィルム袋５１の上端側両角隅５１Ｃ、５１Ｃを三角片５１Ｄ、５１Ｄに切落として一側フィルム５２と他側フィルム５３との間に開口５１Ｅを形成する。この開口５１Ｅに中間刃体５を差し込み(図４参照)、鋏本体２、３を開閉操作して一側フィルム５２は中間刃体５と一方の鋏体２により、他側フィルム５３は中間刃体５と他側の鋏体３により、ジッパー５４より先端側のフィルム袋５１を同時に切断する。
【００１９】
これにより、一側フィルム５２の切断縁５２Ｂと他側フィルム５３の切断縁５３Ｂは中間刃体５の厚さの約２〜４ｍｍ分のズレ部５５を存して切断されるから(図５参照)、開封者はこのズレ部５５に指先を差込んで両フィルム５２、５３の端部を開くことにより容易にジッパー５４を開封することができる。
【００２０】
また、上記切断の際、中間刃体５の一側受け刃５Ｄに対して両鋏体２、３の切込み刃２Ｄ、３Ｅは剪断するのではなく、前進しながら交わって切断するので、フィルム５２、５３に対して切込み刃２Ｄ、３Ｅは抵抗無く切り込むことが出来るフィルム袋５１を大きな力を入れることなく容易に切断することができる。
【符号の説明】
【００２１】
１        鋏本体
２、３    鋏体
２Ａ、３Ａ    輪形持ち手部
２Ｂ、３Ｃ    柄部
２Ｃ、３Ｄ    刃部
２Ｄ、３Ｅ    切込み刃
４        支軸
５        中間刃体
５Ａ      本体
５Ｂ      長孔
５Ｃ、５Ｄ    受け刃
５Ｅ      下端側
６        連動腕
６Ａ      基端側
６Ｂ      先端側
５１      ジッパー付きフィルム袋
【図１】
2011244839.tif 000003
【図２】
2011244839.tif 000004
【図３】
2011244839.tif 000005
【図４】
2011244839.tif 000006
【図５】
2011244839.tif 000007
【図６】
2011244839.tif 000008
【図７】
2011244839.tif 000009